(57)【要約】【課題】さまざまなアプリケーション機能を備えたメモリカードに対して無線装置が中継装置を介してデータ書き込みや読出しなどのアクセスを好適に行なう。【解決手段】無線装置は、メモリカードに対して直接的にハードウェア制御を行なうための要求情報でペイロードが構成されたデータ・フレームを中継装置に送信する。無線装置が中継装置に対して送信する要求情報に記載される制御内容は、メモリカードに対するレジスタ制御や、バッファ制御、コマンド制御という簡素な内容に限定され、中継装置はメモリカードの各種アプリケーションに対応した制御シーケンスを実装する必要がなく、回路規模が軽減される。【選択図】  図１
2008147871.tif 000002
【特許請求の範囲】
【請求項１】
データを記録するメモリカードと、メモリカードを受容した中継装置と、中継装置とは無線路で接続される無線装置からなる通信システムであって、
前記無線装置は、前記メモリカードに対するハードウェア制御と１対１で対応する制御内容からなる要求情報を送信し、
前記中継装置は、要求情報に記載されたハードウェア制御を前記メモリカードに対して行ない、その結果を前記無線装置に対して送信する、
ことを特徴とする通信システム。
【請求項２】
前記無線装置が送信する要求情報は、前記メモリカードに対するレジスタ制御、バッファ制御、又はコマンド制御に関する制御内容からなる、
ことを特徴とする請求項１に記載の通信システム。
【請求項３】
前記中継装置は、前記メモリカードに対する少なくとも１つのシーケンス制御が可能であり、
前記無線装置が前記中継装置から前記メモリカードに対して１対１のハードウェア制御を行なわせるための要求フレーム及び応答フレームからなる通信シーケンスと、前記無線装置が前記中継装置から前記メモリカードに対してシーケンス制御を行なわせるための要求フレーム及び応答フレームからなる通信シーケンスの双方が可能である、
ことを特徴とする請求項１に記載の通信システム。
【請求項４】
前記シーケンス制御は、前記中継装置が前記メモリカード側のバッファから連続的にデータを取得するとともにデータを連結して１つのフレームに載せて転送する動作からなる、
ことを特徴とする請求項３に記載の通信システム。
【請求項５】
データを記録するメモリカードと無線装置間に介在する中継装置であって、
前記無線装置と無線路で接続するための無線通信手段と、
前記メモリカードへのアクセスを制御するメモリカード制御手段と、
前記無線装置から前記メモリカードに対するハードウェア制御と１対１で対応する制御内容からなる要求情報を受信して、該要求情報に記載されたハードウェア制御を前記メモリカードに対して行ない、その結果を前記無線装置に対して送信する通信制御手段と、
を具備することを特徴とする中継装置。
【請求項６】
前記無線装置が送信する要求情報は、前記メモリカードに対するレジスタ制御、バッファ制御、又はコマンド制御に関する制御内容からなる、
ことを特徴とする請求項５に記載の中継装置。
【請求項７】
前記メモリカードに対するシーケンス制御を行なうシーケンス制御手段をさらに備え、
前記無線装置からの要求に応じて、要求情報に基づく前記メモリカードに対する１対１のハードウェア制御と、前記シーケンス制御手段による前記メモリカードに対するシーケンス制御の双方が可能である、
ことを特徴とする請求項５に記載の中継装置。
【請求項８】
前記シーケンス制御は、前記メモリカード側のバッファから連続的にデータを取得するとともにデータを連結して１つのフレームに載せて転送する動作からなる、
ことを特徴とする請求項７に記載の中継装置。
【発明の詳細な説明】
【技術分野】
【０００１】
本発明は、データを記録するメモリカードと、メモリカードを受容した中継装置と、中継装置とは無線路で接続される無線装置からなり、無線装置が中継装置を介してメモリカードにデータ書き込みや読出しなどのアクセスを行なう通信システム並びに中継装置に係り、特に、さまざまなアプリケーション機能を備えたメモリカードに対して無線装置が中継装置を介してメモリカードにデータ書き込みや読出しなどのアクセスを行なう通信システム並びに中継装置に関する。
【背景技術】
【０００２】
最近、多くの情報機器においてメモリカードやＵＳＢメモリなどカートリッジ式のメモリ装置を着脱自在に素溶着するためのカード用スロットやコネクタなどのインターフェースが備えられている（ここで言うメモリカードには、ＭＥＭＯＲＹＳＴＩＣＫ（登録商標）や、ＳＤカードなどが含まれる）。この種のメモリカードは、デジタルカメラで撮像した画像の蓄積や、音楽ファイルなどのコンテンツのダウンロードに利用される。
【０００３】
メモリカードに蓄積されたデータは、メモリカードを媒体にして機器の間を移動することができるが、メモリカードに無線通信機能を内蔵し、無線通信路を介してメモリカード内のデータを移動することも可能である。この場合、データ伝送の度にコネクタの接続作業を行なう必要がなく、利便性が高い。
【０００４】
例えば、無線通信機能を内蔵した外部メモリ・メディアについて提案がなされている（例えば、特許文献１を参照のこと）。この外部メモリ・メディアは、装着されたホスト機器との間で物理的接続手段を介してデータを授受する有線通信手段と、Ｂｌｕｅｔｏｏｔｈ通信、あるいは反射波通信（例えば、特許文献２を参照のこと）などの近距離無線通信網を介して外部の通信網とデータを送受信する近距離無線通信手段を備えている。したがって、データ送信元となるデジタルカメラなどのホスト機器は、自身は無線インターフェースを装備していないが、このような外部メモリ・メディアを装着して、このメモリ・メディア内の近距離無線通信手段を駆動して通信網との間でデータの送受信を行なうことができる。
【０００５】
ＭＥＭＯＲＹＳＴＩＣＫ  ＤＵＯやミニＳＤカードのような小型のメモリカードにおいては、メモリカード本体と、このメモリカード本体を受容するアダプタ装置で構成されるものが多い。メモリカードに付随する各種機能をアダプタ装置に搭載することで、メモリカード本体としての商品ラインアップはメモリ・サイズのみとなり、アダプタ装置部分は各ラインアップで共通となる。上述した無線通信機能をアダプタ装置内に実装することにより、無線通信機能を装備していないメモリカードに対してデータを移動する手段としての無線通信機能を提供することができる。また、メモリカードを装着したホスト機器の動作とは独立して、アダプタ装置内部でメモリカードからデータを読み出して、無線伝送を行なうことができる。
【０００６】
例えば、メモリカードと、メモリカードを挿入するアダプタ装置で構成され、アダプタ装置内に無線通信機能を備えたメモリ装置について提案がなされている（例えば、特許文献３を参照のこと）。ＰＣやテレビ、プリンタなどの外部機器から無線伝送路を介したデータ要求があると、アダプタ内の通信制御装置は、メモリ装置を装着したホスト機器の介在なしに、メモリカードに記憶したデータを読み取って伝送することができる。
【０００７】
図６には、メモリカード６とメモリカード６を挿入するアダプタ装置１で構成されるメモリ装置と、メモリ装置を装着するホスト端末３と、アダプタ装置と無線通信を行なう外部機器２で構成される通信システムの構成例を示している。
【０００８】
同図においてメモリカード６は、例えばメモリースティック、ＳＤカード、フラッシュメモリである。中継装置１は、端末装置３に適用するメモリカードのアダプタ装置の形態をとり、メモリカード６を中継装置１に装着した状態で、１つのメモリ装置を構成する。中継装置１は、端末装置３とメモリカード６との間の電気的なインターフェースを中継し、端末装置３からメモリカード６へのアクセスを可能にするとともに、メモリカード６に記憶されたファイルデータを外部の無線装置２から非接触、あるいは遠隔的にアクセスすることを可能にする。
【０００９】
無線装置２は、例えばＰＣなどの情報機器を想定しており、通常は「ファイル」を単位としてデータへのアクセス要求を行なう。これに対し、フラッシュメモリのようなメモリ装置に対しては「ページ」などの物理的なアクセス単位でアクセス動作が行なわれる。ここで、無線装置２側からファイル単位ではなくページ単位でメモリ装置へデータ要求を繰り返し行なうことで、ファイル全体のデータ要求が実現し、また、メモリ装置側では、ファイル相当のデータの読み出し又は書き込みのアクセス動作に伴う処理負荷が軽減され、省電力化することができる（例えば、特許文献４を参照のこと）。
【００１０】
図７Ａ及び図７Ｂには、メモリ装置と無線装置２の間でメモリカード６への無線伝送路を介してアクセス動作を行なう際に用いられるデータ・フレームのフォーマット例として、データ・リード要求フレーム４１０と、データ・リード応答フレーム４２０をそれぞれ示している。
【００１１】
無線装置２から中継装置１に対して送信される要求フレーム（図６中の参照番号４１に相当）には、データ・リード、データ・ライトを識別する要求種別４１１とデータ・アドレス４１２が付加されている。
【００１２】
また、中継装置１は、要求種別に対応した処理をメモリカード６との間で実行すると、無線装置２に応答フレーム（図６中の参照番号４２に相当）を送信するが、この応答フレームには要求種別４１１と同じ値の応答種別４２１、処理結果４２２、リード・データ４２３が付加されている。
【００１３】
中継装置１とメモリカード６との間は、数本の物理信号線上でハードウェア制御を行なうための論理フォーマットが定義づけられている。そして、中継装置１によって、レジスタのリード並びにライト、バッファのリード並びにライト、コマンド設定、及びコマンド処理結果に対する割り込み通知といった、メモリカード６に対するハードウェア制御が行なわれる。メモリカード６に対するデータのリード／ライト処理は、これらハードウェア制御の一連のシーケンスによって行なわれる。
【００１４】
図８には、中継装置１が無線装置２からデータ・リード要求フレーム４１１を受信し、メモリカード６からデータをリードし、データ・リード応答フレーム４２１を無線装置２に送信するまでの制御シーケンス一例を示している。同図に示す制御シーケンス７では、中継装置１は、データ・リードという要求種別に従って、メモリカード６に対して、参照番号７１で示す手順によりデータ・アドレスをレジスタ・ライトし、続いて、参照番号７２で示す手順によりデータ・リードのためのコマンドを設定し、参照番号７３で示す手順によりメモリカード６の内部バッファへのデータ・ロード完了によって発生する中継装置１への割り込み通知を行ない、参照番号７４で示す処理手順により最終的にバッファからデータをリードする、という一連のハードウェア制御から構成される。
【００１５】
近年、メモリカードの機能は多様であり、単にデータのリード／ライトの機能にとどまらない。例えば、メモリカードによっては、暗号化の機能を持つものがある。あるいは著作権保護のための機能を持つものがある。無線装置２が中継装置１を介してメモリカード６に対して、これら機能に対応するためには、まず無線路上でこれら機能を中継装置１に対して要求する要求フレームを新たに定義する必要がある。同時に、中継装置１において、図８の参照番号７に示した制御シーケンスを、実現したい機能毎に実装する必要がある。ここでの制御シーケンスも、一連のハードウェア制御によって行なわれる。しかしながら、暗号化や著作権保護のような機能は、データを保護する観点から、制御シーケンスは非常に複雑且つ膨大であることから、これを中継装置１に実装するためには回路が増大するという問題がある。逆に、回路規模の制約から、中継装置１で実現する機能を限定した場合には、無線装置２からメモリカード６に対して機能をフルに使用することができない。
【００１６】
【特許文献１】特開２００１−７７８７８号公報
【特許文献２】特開２００５−６４８２２号公報
【特許文献３】特開２００６−２０２２６０号公報
【特許文献４】特開２００６−１４６４６０号公報
【発明の開示】
【発明が解決しようとする課題】
【００１７】
本発明の目的は、データを記録するメモリカードと、メモリカードを受容した中継装置と、中継装置とは無線路で接続される無線装置からなり、無線装置が中継装置を介してメモリカードにデータ書き込みや読出しなどのアクセスを好適に行なうことができる、優れた通信システム並びに中継装置を提供することにある。
【００１８】
本発明のさらなる目的は、さまざまなアプリケーション機能を備えたメモリカードに対して無線装置が中継装置を介してメモリカードにデータ書き込みや読出しなどのアクセスを好適に行なうことができる、優れた通信システム並びに中継装置を提供することにある。
【００１９】
本発明のさらなる目的は、中継装置の回路規模を軽減しながら、無線装置からの無線によるメモリカード制御に汎用性を持たせ、無線装置主導によりメモリカードの各種アプリケーション機能を利用することができる、優れた通信システム並びに中継装置を提供することにある。
【課題を解決するための手段】
【００２０】
本発明は、上記課題を参酌してなされたものであり、データを記録するメモリカードと、メモリカードを受容した中継装置と、中継装置とは無線路で接続される無線装置からなる通信システムであって、前記無線装置は、前記メモリカードに対するハードウェア制御と１対１で対応する制御内容からなる要求情報を送信し、前記中継装置は、要求情報に記載されたハードウェア制御を前記メモリカードに対して行ない、その結果を前記無線装置に対して送信することを特徴とする通信システムである。
【００２１】
但し、ここで言う「システム」とは、複数の装置（又は特定の機能を実現する機能モジュール）が論理的に集合した物のことを言い、各装置や機能モジュールが単一の筐体内にあるか否かは特に問わない（以下、同様）。
【００２２】
現在、さまざまなメモリカードが普及しているが、メモリカード本体と、このメモリカード本体を受容するアダプタなどの中継装置で構成されるものが多い。アダプタ装置は、デジタルカメラなどメモリカードを装着する端末機器との電気信号用インターフェースを装備する以外に、無線通信機能を装備していないメモリカードに対してデータを移動する手段としての無線通信機能を提供することができる。
【００２３】
無線装置から中継装置を経由したメモリカードへのデータのリード／ライト処理はハードウェア制御の一連のシーケンスによって行なわれる。最近のメモリカードは、暗号機能や著作権機能を搭載しており、これら高機能なアプリケーション機能に対応したデータ通信を中継装置の介在により実現しようとすると、各アプリケーション機能に対応した一連のハードウェア制御からなる通信シーケンスを中継装置が実装しなければならず、回路規模が増大するという問題がある。また、中継装置に搭載する機能を制限すると、無線装置の汎用性が失われてしまう。
【００２４】
そこで、本発明に係る通信システムでは、無線装置は、メモリカードに対するハードウェア制御と１対１で対応する要求情報で構成されたフレームを中継装置に送信し、中継装置は、フレームから要求情報を取り出して、要求されたハードウェア制御をメモリカードに対して行ない、その結果を無線装置に対して送信するようにした。
【００２５】
したがって、無線装置は、中継装置を経由しながら、メモリカードに対する直接的なハードウェア制御を行なうが、中継装置は要求情報に従った動作を行なうだけであり、メモリカードに搭載された各機能に応じた制御シーケンスを中継装置上で実装する必要はない。メモリカードに対する各種アプリケーション機能は、中継装置に拘わらず無線装置主導で実装することができることから、無線通信を介したメモリカード制御に対して汎用性を持たせることができる。
【００２６】
また、無線装置が中継装置に対して送信する要求情報に記載される制御内容は、メモリカードに対するレジスタ制御や、バッファ制御、コマンド制御という簡素な内容に限定することにより、メモリカードにハードウェア制御を行なうだけなので、中継装置はメモリカードの各種アプリケーションに対応した制御シーケンスを実装する必要がなく、回路規模が軽減される。
【００２７】
また、中継装置自体がメモリカードに対して行なう動作は、メモリカードの上位機能に依らないので、メモリカードが各種アプリケーション機能を搭載しても、中継装置自体を高機能化する必要がない。
【００２８】
無線装置がメモリカードに対するハードウェア制御が直接的に行なうという通信シーケンスでは、中継装置はメモリカードの各アプリケーション機能に対応した制御シーケンスを実装する必要がなく、無線装置から柔軟にメモリカード機能を実装することができるという利点がある。その反面、メモリカードとの間で１回のトランザクションでやり取りするデータのサイズは固定的になるので、無線路上のフレーム送受信の効率低下、及びデータ転送速度の低下につながる可能性があるという問題がある。
【００２９】
そこで、中継装置は、メモリカードに対する特有のシーケンス制御を行なう機能を内部的に備えていてもよい。無線装置が中継装置からメモリカードに対して１対１のハードウェア制御を行なう通信シーケンスとともに、メモリカード側のバッファから連続的にデータを取得するとともにデータを連結して１つのフレームに載せて転送するといったシーケンス制御を行なわせるための通信シーケンスを併用することができる。
【発明の効果】
【００３０】
本発明によれば、データを記録するメモリカードと、メモリカードを受容した中継装置と、中継装置とは無線路で接続される無線装置からなり、無線装置が中継装置を介してメモリカードにデータ書き込みや読出しなどのアクセスを好適に行なうことができる、優れた通信システム並びに中継装置を提供することができる。
【００３１】
また、本発明によれば、さまざまなアプリケーション機能を備えたメモリカードに対して無線装置が中継装置を介してデータ書き込みや読出しなどのアクセスを好適に行なうことができる、優れた通信システム並びに中継装置を提供することができる。
【００３２】
また、本発明によれば、中継装置の回路規模を軽減しながら、無線装置からの無線によるメモリカード制御に汎用性を持たせ、無線装置主導によりメモリカードの各種アプリケーション機能を利用することができる、優れた通信システム並びに中継装置を提供することができる。
【００３３】
本発明に係る通信システムでは、中継装置は、無線装置から中継装置に対する無線路上の要求情報に応じて、メモリカードに対するハードウェア制御を行なう。このとき、無線装置と中継装置との間の制御内容はメモリカードに対するレジスタ制御、バッファ制御、コマンド制御という簡素な内容にすることができる。また、中継装置は、無線装置からの要求に応じてメモリカードにハードウェア制御を行なうだけなので、回路規模が軽減される。また、メモリカードの上位機能に依らないので、中継装置自体を高機能化する必要がなくなる。
【００３４】
また、本発明に係る通信システムによれば、メモリカードに対する各種アプリケーション機能は、中継装置に拘わらず無線装置主導で実装することができることから、無線通信を介したメモリカード制御に対して汎用性を持たせることができる。
【００３５】
本発明のさらに他の目的、特徴や利点は、後述する本発明の実施形態や添付する図面に基づくより詳細な説明によって明らかになるであろう。
【発明を実施するための最良の形態】
【００３６】
以下、図面を参照しながら本発明の実施形態について詳解する。
【００３７】
図１には、本発明の一実施形態に係る通信システムの構成を模式的に示している。図示の通信システムは、メモリカード６とメモリカード６を挿入するアダプタ装置１で構成されるメモリ装置と、メモリ装置を装着するホスト端末３と、アダプタ装置と無線通信を行なう外部機器２で構成されている。
【００３８】
同図においてメモリカード６は、例えばメモリースティック、ＳＤカード、フラッシュメモリである。また、中継装置１は、端末装置３に適用するメモリカードのアダプタ装置の形態をとり、メモリカード６を中継装置１に装着した状態で、１つのメモリ装置を構成する。
【００３９】
メモリカード６は、中継装置１との間で入出力を行なうレジスタで構成されたインターフェース回路（図示しない）を備えており、中継装置１側からはこのレジスタを通して、メモリカード６に対するレジスタ制御、バッファ制御、コマンド制御などを基本的に行なうことができる。
【００４０】
中継装置１は、ＲＦ機能部１１と、通信制御機能部１２と、装置制御機能部１３と、メモリカード制御機能部１４と、選択部１５を備えている。ＲＦ機能部１１は、伝送データのアップコンバージョン並びにダウンコンバージョン並びにアンテナを介したＲＦ信号の送受信動作を行なう。通信制御機能部１２は、伝送データの変復調並びに符号化復号処理を行なう。装置制御機能部１３は、中継装置１全体の動作を制御する。メモリカード制御機能部１４は、メモリカード６に対するアクセス動作を、選択部１５超しに行なう。選択部１５は、メモリカード６へのアクセスを中継装置１と外部機器５の間で適宜切り替える。但し、切り替え制御の手法自体は本発明の要旨に直接関連しないので、ここでは説明を省略する。
【００４１】
本実施形態では、中継装置１側のメモリカード制御機能部１４は、レジスタ制御、バッファ制御、コマンド制御などメモリカード６に対する基本的なアクセス動作を行なうだけで十分であり、メモリカード６が実現する各種アプリケーションに対応したハードウェア制御用の通信シーケンスを実装している必要はない。
【００４２】
端末装置３は、端末機能部３１と、メモリカード制御機能部３２を備えている。端末機能部３１は、デジタルカメラや携帯電話機などの、メモリカード６をメモリ資源として利用するデバイスである。メモリカード制御機能部３２は、電気信号線５を介して中継装置１側の選択部１４に接続されており、メモリカード６に対するアクセス動作を行なう。
【００４３】
本実施形態では、外部機器３側のメモリカード制御機能部３２は、レジスタ制御、バッファ制御、コマンド制御などメモリカード６に対する基本的なアクセス動作の他に、メモリカード６が実現する各種アプリケーション機能に対応したハードウェア制御用の通信シーケンスを実装していてもよい。但し、この種の制御シーケンスの内容自体は本発明の要旨に直接関連しないので、ここでは説明を省略する。
【００４４】
外部機器２は、ＲＦ機能部２１と、通信制御機能部２２と、ホスト機能部２３を備えている。ＲＦ機能部２１は、伝送データのアップコンバージョン並びにダウンコンバージョン並びにアンテナを介したＲＦ信号の送受信動作を行なう。通信制御機能部２２は、伝送データの変復調並びに符号化復号処理を行なう。ホスト機能部２３は、例えばテレビやモニタ、プリンタ、ＰＣ、ＶＴＲ、ＤＶＤプレーヤなどの据え置き型の情報機器であり、中継装置１を介してメモリカード６に対するリード／ライト動作を行なう。
【００４５】
中継装置側のＲＦ機能部１１と外部機器２側のＲＦ機能部２１の間では無線データ伝送動作が行なわれるが、無線ＬＡＮやＢｌｕｅｔｏｏｔｈ通信、あるいは反射波通信（例えば、特許文献２を参照のこと）などを利用することができる。
【００４６】
図１に示した通信システムでは、中継装置１とメモリカード６との間のハードウェア制御内容に応じて、無線装置２と中継装置１との間の要求／応答の無線フレームが定義される。
【００４７】
図２には、無線路上のフレーム構成例を示している、参照番号４３０は無線装置２から中継装置１に対する要求フレームを示し、参照番号４４０は中継装置１から無線装置２に対する応答フレームを示している。また、表１には、制御コードに対応した制御内容と、要求パラメータ４３４、応答パラメーン４４４を示している（但し、実際にはメモリカード６のハードウェア制御仕様によって決まる値であることを十分理解されたい）。
【００４８】
【表１】
2008147871.tif 000003
【００４９】
制御コード４３１、４３２は、制御内容に対して要求フレーム、応答フレーム共通に与えられる識別値である。本実施形態では、メモリカード６に対するレジスタのリード又はライト、バッファのリード又はライト、コマンド設定、割り込みの６種類の制御コードが定義されている。
【００５０】
中継装置１は、無線装置２から要求フレーム４３０を受信して、制御コード４３１に対応したハードウェア制御を行なう。そして、応答フレームにハードウェア制御に対する処理結果４４２を付加する（要求フレームにおいては同じ領域をＲｅｓｅｒｖｅｄ（予備）４３２にしている）。
【００５１】
データ長４３３、４４３は、要求フレーム及び応答フレームに共通する領域で、後に続く要求パラメータ４３４、応答パラメータ４４４の長さを示す。要求パラメータ４３４、応答パラメータ４４４は、制御コードによって決まるパラメータである。
【００５２】
図３には、図１に示した通信システムにおいて実施される、図２に示したフレームを用いた通信シーケンスの一例を示している。
【００５３】
無線装置２は、レジスタ・ライト要求フレーム４３０１の要求パラメータ４３４にメモリカード６にデータ・アドレスを設定するためのレジスタのアドレスとデータとを付加して、当該フレーム４３０１を中継装置１に送信する。
【００５４】
中継装置１は、メモリカード６に対して、レジスタへのライト動作を行なうためのハードウェア制御７１を行なった後、レジスタのライト処理の結果をレジスタ応答フレーム４４０１に付加して無線装置２に応答する。
【００５５】
次いで、無線装置２は、メモリカード６へのデータ・リードを行なうコマンドコードをコマンド設定要求フレーム４３０４に付加して、中継装置１に送信する。
【００５６】
中継装置１は、メモリカード６に対して、コマンド設定のハードウェア制御７２を行なった後、その処理結果をコマンド設定応答フレーム４４０４に付加して、無線装置２に送信する。
【００５７】
このとき、メモリカード６では、コマンド設定（リード・コマンド）７２に対して、内部バッファへのデータのロードが行なわれる。そして、メモリカード６は、このコマンド処理結果として、中継装置１に対して割り込み７３を通知する。
【００５８】
中継装置１は、メモリカード６からの割り込み７３の通知を受け取ると、割り込みフレーム４４０５にこのコマンド処理結果をパラメータとして付加して、無線装置２に送信する。
【００５９】
無線装置２は、割り込みフレーム４４０５で受け取ったコマンドの処理結果から、正常にデータが取得されたことを判断すると、続いて、バッファ・リード要求フレーム４３０２を中継装置１に送信する。
【００６０】
中継装置１は、バッファ・リード要求フレーム４３０２を受け取ると、メモリカード６に対してバッファ・リードのためのハードウェア制御を行なう。そして、メモリカード６側のバッファから読み取ったリード・データをバッファ・リード応答フレーム４４０２に付加して、無線装置２に送信する。
【００６１】
以上説明したような通信シーケンスによって、無線装置２は、メモリカード６からデータをリードすることができる。
【００６２】
図３に示したような通信シーケンスによれば、無線装置２は、メモリカード６に対するハードウェア制御と１対１で対応する要求情報で構成されたフレームを中継装置１に送信する。中継装置１は、無線装置２からの要求情報に応じて、メモリカード６に対するハードウェア制御を行なう。
【００６３】
このとき、無線装置２は、中継装置１との無線伝送路を経由しながらも、メモリカード６を接続する端末装置３と同様に、主導的にメモリカード６へのアクセス動作を行なうことができる。
【００６４】
また、無線装置２と中継装置１との間の制御内容はメモリカード６に対するレジスタ制御、バッファ制御、コマンド制御という簡素な内容にすることで、中継装置１は、無線装置２からの要求に応じてメモリカード６にハードウェア制御を行なうだけなので、回路規模が軽減される。
【００６５】
これまでは、中継装置１は無線装置２からの要求情報に従ったハードウェア制御を実施する制御シーケンスについて説明してきたが、勿論、中継装置１はメモリカード６の上位機能に依存した制御シーケンスを実装していても良い。
【００６６】
無線装置２がメモリカード６に対するハードウェア制御が直接的に行なうという通信シーケンスでは、中継装置１はメモリカード６の各アプリケーション機能に対応したハードウェア制御を実装する必要がなく、無線装置２から柔軟にメモリカード機能を実装することができるという利点がある。しかしながら、メモリカード６との間で１回のトランザクションでやり取りするデータのサイズは、固定的（例えば中継装置１が基本的なハードウェア制御によって取り扱うことが可能なバッファのサイズ）になるので、無線路上のフレーム送受信の効率低下、及びデータ転送速度の低下につながる可能性があるという問題がある。
【００６７】
特に、中継装置１がメモリカード６側のバッファからデータを取得するような場合、フレーム効率を向上させるためには、バッファから連続的にデータを取得し連結して、１つのフレームに載せて転送することが望ましい。そのためには、中継装置１において、特有の制御シーケンスを内部に持つ必要がある。
【００６８】
図４には、図１に示した通信システムの制御シーケンス例を示している。図示の例では、無線装置２と中継装置１との間で、中継装置１からメモリカード６に対してハードウェア制御を行なわせるための要求フレーム４３０及び応答フレーム４４０からなる制御シーケンスと、中継装置１にメモリカード６に対するシーケンス制御を行なわせるための要求フレーム４１０及び応答フレーム４２０からなる制御シーケンスの双方が併用されている。
【００６９】
図５には、中継装置１が内部的に持つ特有のシーケンス制御を利用した制御シーケンス例を示している。同図では、バッファのリード要求（３連結）フレーム４１０１に対して、中継装置１がメモリカード２に対するデータのリード制御を３回連続して行ない、バッファ・リード応答（３連結）フレーム４２０１を構築し、無線装置２に転送する例を示している。
【００７０】
図示のようにメモリカード６の主要機能であるデータ・リード、ライトに対しては、フレーム効率を上げるためには中継装置１側でこのような制御シーケンスを利用する。他方、著作権保護や暗号化のための複雑なハードウェア制御を行なう際には図３に示したように個別に無線装置２側で詳細制御に対応することができる。
【産業上の利用可能性】
【００７１】
以上、特定の実施形態を参照しながら、本発明について詳解してきた。しかしながら、本発明の要旨を逸脱しない範囲で当業者が該実施形態の修正や代用を成し得ることは自明である。
【００７２】
本明細書では、データを記録するメモリカードと、メモリカードを受容した中継装置と、中継装置とは無線路で接続される無線装置からなる通信システムに本発明を適用した実施形態について説明してきたが、本発明の要旨はこれに限定されるものではない。中継装置を必要とするその他のさまざまな通信システムに本発明を適用することができる。
【００７３】
要するに、例示という形態で本発明を開示してきたのであり、本明細書の記載内容を限定的に解釈するべきではない。本発明の要旨を判断するためには、特許請求の範囲を参酌すべきである。
【図面の簡単な説明】
【００７４】
【図１】図１は、本発明の一実施形態に係る通信システムの構成を模式的に示した図である。
【図２】図２は、図１に示した通信システムで使用されるフレーム構成例を示した図である。
【図３】図３は、図１に示した通信システムにおいて実施される、図２に示したフレームを用いた通信シーケンスの一例を示した図である。
【図４】図４は、図１に示した通信システムにおいて実施される、図２に示したフレームを用いた通信シーケンスの一例を示した図である。
【図５】図５は、図１に示した通信システムにおいて実施される、図２に示したフレームを用いた通信シーケンスの一例を示した図である。
【図６】図６は、メモリカード６とメモリカード６を挿入するアダプタ装置１で構成されるメモリ装置と、メモリ装置を装着するホスト端末３と、アダプタ装置と無線通信を行なう外部機器２で構成される通信システムの構成例を示した図である。
【図７Ａ】図７Ａは、メモリ装置と無線装置２の間でメモリカード６への無線伝送路を介してアクセス動作を行なう際に用いられるデータ・リード要求フレーム４１０のフォーマット例を示した図である。
【図７Ｂ】図７Ｂは、メモリ装置と無線装置２の間でメモリカード６への無線伝送路を介してアクセス動作を行なう際に用いられるデータ・リード応答フレーム４２０のフォーマット例を示した図である。
【図８】図８は、中継装置１が無線装置２からデータ・リード要求フレーム４１１を受信し、メモリカード６からデータをリードし、データ・リード応答フレーム４２１を無線装置２に送信するまでの制御シーケンス一例を示した図である。
【符号の説明】
【００７５】
１…中継装置
１１…ＲＦ機能部
１２…通信制御機能部
１３…装置機能制御部
１４…メモリカード制御機能部
１５…選択部
２…無線装置
２１…ＲＦ機能部
２２…通信制御機能部
２３…ホスト機能部
３…端末装置
３１…端末機能部
３２…メモリカード制御機能部
６…メモリカード
【図１】
2008147871.tif 000004
【図２】
2008147871.tif 000005
【図３】
2008147871.tif 000006
【図４】
2008147871.tif 000007
【図５】
2008147871.tif 000008
【図６】
2008147871.tif 000009
【図７Ａ】
2008147871.tif 000010
【図７Ｂ】
2008147871.tif 000011
【図８】
2008147871.tif 000012